(57)【要約】【課題】勤怠状況管理システムにおいて、仕事についての個人ごとの時間情報を省スペース・低コストで把握し、かつ個人ごとに評価することができること。 【解決手段】社員カード３にはＱＲコード４が印刷されており、このＱＲコード４をカメラ機能付き携帯電話機５で撮影することによって、ＱＲコード４にコード化された社員２の識別データが読み取られ、この識別データと「出勤」、「退勤」等のステータス情報とが携帯電話機５によってシステムコンピュータ６に送信される。これらの勤怠データがシステムコンピュータ６内の勤怠データメモリに記憶され、１日に１回ずつ社員２ごとに勤務時間が計算され、記憶される。この処理を毎日続けることによって、各社員２の勤務時間が累積されて行き、特典として前給コンピュータ８を利用して、前給（給与の前払い）サービスを受けることができる。【選択図】図１
2008046745.tif 000002
【特許請求の範囲】
【請求項１】
各勤務者１人当たり１枚ずつ配布される勤務者カードであって、前記各勤務者の識別データがコード化された二次元コードが印刷された勤務者カードと、
前記各勤務者がそれぞれの職場において出入りする出入口近傍に設置され、前記勤務者カードに印刷された前記二次元コードを撮影することによって前記二次元コードに記録された前記各勤務者の識別データを読み取り、前記識別データを前記各勤務者のステータス情報及び職場データとともに回線を介してシステムコンピュータに送信する二次元コード撮影送信手段と、
前記システムコンピュータに設けられ、前記二次元コード撮影送信手段から前記回線を介して送信される前記職場データ、前記識別データ及び前記ステータス情報を受信し、受信年月日及び受信時刻とともに記憶する勤怠時間メモリと、
前記システムコンピュータに設けられ、所定の期間ごとに前記勤怠時間メモリに蓄積された前記各勤務者の前記識別データ及び前記ステータス情報から前記各勤務者の総勤務時間及び勤務状況からなる勤怠データを算出する勤怠データ算出手段と、
前記システムコンピュータに設けられ、前記勤怠データから前記勤務者の勤務態度を評価して勤務態度評価データを作成する勤務態度評価手段と、
前記勤務態度評価手段によって作成された勤務態度評価データに基づいて付与される特典の種類及びサイズを算出する特典算出手段と、前記勤務者からの要求に基づいて前記特典算出手段によって算出された特典の種類及びサイズの範囲内で特典を付与する特典付与手段とを有する特典管理コンピュータと
を具備することを特徴とする勤怠状況管理システム。
【請求項２】
前記特典管理コンピュータは前記勤務者による前記特典の利用実績を前記システムコンピュータに送信する特典利用実績送信手段をも有することを特徴とする請求項１に記載の勤怠状況管理システム。
【請求項３】
各勤務者の識別データがコード化された二次元コードが印刷された勤務者カードの前記二次元コードを前記各勤務者がそれぞれの職場において出入りする出入口近傍に設置された二次元コード撮影送信手段を用いて撮影することによって前記二次元コードに記録された前記各勤務者の識別データを読み取る工程と、
前記二次元コード撮影送信手段を用いて前記識別データを前記各勤務者のステータス情報及び職場データとともに回線を介してシステムコンピュータに送信する工程と、
前記二次元コード撮影送信手段から前記回線を介して送信される前記職場データ、前記識別データ及び前記ステータス情報を受信して、前記システムコンピュータに設けられた勤怠時間メモリに受信年月日及び受信時刻とともに記憶する工程と、
所定の期間ごとに前記勤怠時間メモリに蓄積された前記各勤務者の前記識別データ及び前記ステータス情報から前記各勤務者の総勤務時間及び勤務状況からなる勤怠データを算出する工程と、
前記勤怠データから前記勤務者の勤務態度を評価して勤務態度評価データを作成する工程と、
前記勤務態度評価データに基づいて付与される特典の種類及びサイズを算出する工程と、
前記各勤務者からの要求に基づいて算出された前記特典の種類及びサイズの範囲内で特典を付与する工程と
を具備することを特徴とする勤怠状況管理方法。
【請求項４】
前記特典は給料の一部前払いであることを特徴とする請求項１若しくは請求項２に記載の勤怠状況管理システムまたは請求項３に記載の勤怠状況管理方法。
【請求項５】
各受講者１人当たり１枚ずつ配布される受講者カードであって、前記各受講者の識別データがコード化された二次元コードが印刷された受講者カードと、
前記各受講者がそれぞれの受講場所に出入りする出入口近傍に設置され、前記受講者カードに印刷された前記二次元コードを撮影することによって前記二次元コードに記録された前記各受講者の識別データを読み取り、前記識別データを前記各受講者のステータス情報及び受講場所データとともに回線を介してシステムコンピュータに送信する二次元コード撮影送信手段と、
前記システムコンピュータに設けられ、前記二次元コード撮影送信手段から前記回線を介して送信される前記各受講者の前記受講場所データ、前記識別データ及び前記ステータス情報を受信し、受信年月日及び受信時刻とともに記憶する学習時間メモリと、
前記システムコンピュータに設けられ、所定の期間ごとに前記学習時間メモリに蓄積された前記各受講者の前記識別データ及び前記ステータス情報から前記各受講者の総学習時間及び学習状況からなる学習時間データを算出する学習時間データ算出手段と、
前記システムコンピュータに設けられ、前記学習時間データから前記受講者の学習態度を評価して学習態度評価データを作成する学習態度評価手段と、
前記学習態度評価手段によって作成された学習態度評価データに基づいて付与される特典の種類及びサイズを算出する特典算出手段と、前記受講者からの要求に基づいて前記特典算出手段によって算出された特典の種類及びサイズの範囲内で特典を付与する特典付与手段とを有する特典管理コンピュータと
を具備することを特徴とする学習状況管理システム。
【請求項６】
各受講者１人当たり１枚ずつ配布される受講者カードであって、前記各受講者の識別データがコード化された二次元コードが印刷された受講者カードと、
前記各受講者の担当教師が携帯し、前記受講者カードに印刷された前記二次元コードを撮影することによって前記二次元コードに記録された前記各受講者の識別データを読み取り、前記識別データを前記各受講者のステータス情報及び担当教師データとともに回線を介してシステムコンピュータに送信する二次元コード撮影送信手段と、
前記システムコンピュータに設けられ、前記二次元コード撮影送信手段から前記回線を介して送信される前記各受講者の前記担当教師データ、前記識別データ及び前記ステータス情報を受信し、受信年月日及び受信時刻とともに記憶する学習時間メモリと、
前記システムコンピュータに設けられ、所定の期間ごとに前記学習時間メモリに蓄積された前記各受講者の前記識別データ及び前記ステータス情報から前記各受講者の総学習時間及び学習状況からなる学習時間データを算出する学習時間データ算出手段と、
前記システムコンピュータに設けられ、前記学習時間データから前記受講者の学習態度を評価して学習態度評価データを作成する学習態度評価手段と、
前記学習態度評価手段によって作成された学習態度評価データに基づいて付与される特典の種類及びサイズを算出する特典算出手段と、前記受講者からの要求に基づいて前記特典算出手段によって算出された特典の種類及びサイズの範囲内で特典を付与する特典付与手段とを有する特典管理コンピュータと
を具備することを特徴とする学習状況管理システム。
【請求項７】
前記特典管理コンピュータは前記受講者による前記特典の利用実績を前記システムコンピュータに送信する特典利用実績送信手段をも有することを特徴とする請求項５または請求項６に記載の学習状況管理システム。
【請求項８】
各受講者の識別データがコード化された二次元コードが印刷された受講者カードの前記二次元コードを前記各受講者がそれぞれの受講場所において出入りする出入口近傍に設置された二次元コード撮影送信手段を用いて撮影することによって前記二次元コードに記録された前記各受講者の識別データを読み取る工程と、
前記二次元コード撮影送信手段を用いて前記識別データを前記受講者のステータス情報及び受講場所データとともに回線を介してシステムコンピュータに送信する工程と、
前記二次元コード撮影送信手段から前記回線を介して送信される前記受講場所データ、前記識別データ及び前記ステータス情報を受信して、前記システムコンピュータに設けられた学習時間メモリに受信年月日及び受信時刻とともに記憶する工程と、
所定の期間ごとに前記学習時間メモリに蓄積された前記各受講者の前記識別データ及び前記ステータス情報から前記各受講者の総学習時間及び学習状況からなる学習時間データを算出する工程と、
前記学習時間データから前記受講者の学習態度を評価して学習態度評価データを作成する工程と、
前記学習態度評価データに基づいて付与される特典の種類及びサイズを算出する工程と、
前記各受講者からの要求に基づいて算出された前記特典の種類及びサイズの範囲内で特典を付与する工程と
を具備することを特徴とする学習状況管理方法。
【請求項９】
各受講者の識別データがコード化された二次元コードが印刷された受講者カードの前記二次元コードを前記各受講者がそれぞれの担当教師が所持する二次元コード撮影送信手段を用いて撮影することによって前記二次元コードに記録された前記各受講者の識別データを読み取る工程と、
前記二次元コード撮影送信手段を用いて前記識別データを前記受講者のステータス情報及び担当教師データとともに回線を介してシステムコンピュータに送信する工程と、
前記二次元コード撮影送信手段から前記回線を介して送信される前記担当教師データ、前記識別データ及び前記ステータス情報を受信して、前記システムコンピュータに設けられた学習時間メモリに受信年月日及び受信時刻とともに記憶する工程と、
所定の期間ごとに前記学習時間メモリに蓄積された前記各受講者の前記識別データ及び前記ステータス情報から前記各受講者の総学習時間及び学習状況からなる学習時間データを算出する工程と、
前記学習時間データから前記受講者の学習態度を評価して学習態度評価データを作成する工程と、
前記学習態度評価データに基づいて付与される特典の種類及びサイズを算出する工程と、
前記各受講者からの要求に基づいて算出された前記特典の種類及びサイズの範囲内で特典を付与する工程と
を具備することを特徴とする学習状況管理方法。
【請求項１０】
前記特典は受講料の割引であることを特徴とする請求項５乃至請求項７のいずれか１つに記載の学習状況管理システムまたは請求項８若しくは請求項９に記載の学習状況管理方法。
【請求項１１】
前記二次元コード撮影送信手段はカメラ機能付き携帯電話機であることを特徴とする請求項１乃至請求項４のいずれか１つに記載の勤怠状況管理システム若しくは勤怠状況管理方法、または請求項５乃至請求項１０のいずれか１つに記載の学習状況管理システム若しくは学習状況管理方法。
【請求項１２】
前記二次元コードは「ＱＲコード」（登録商標）であることを特徴とする請求項１乃至請求項９のいずれか１つに記載の勤怠状況管理システム若しくは勤怠状況管理方法または学習状況管理システム若しくは学習状況管理方法。
【発明の詳細な説明】
【技術分野】
【０００１】
本発明は、勤務者の勤怠状況を管理して所定期間ごとに各勤務者の勤怠状況を評価して特典を付与する勤怠状況管理システム及び勤怠状況管理方法、並びに受講者の学習状況を管理して所定期間ごとに各受講者の学習状況を評価して特典を付与する学習状況管理システム及び学習状況管理方法に関するものである。
【背景技術】
【０００２】
従来、社員等の勤務者の勤務状況の管理は、職場の出入り口に設置されたタイムレコーダーを使用して、出退社時に各自のタイムカードに出退社時刻を印字し、所定期間ごとにタイムカードに印字された出退社時刻から勤務時間を計算して集計する方法が採られている。しかし、この方法では、所定期間ごとに、各勤務者についてタイムカードに印字された出退社時刻から勤務時間を計算してまとめなければならないため、手間のかかる作業を必要とする。
【０００３】
そこで、特許文献１に記載の発明においては、社員証カードに記録されている社員コードを端末のカードリーダに読み取らせて簡単な入力を行うだけで、各社員の出退勤状況等を自動的に集計できる出退勤管理システムについて提案している。この出退勤管理システムによれば、社員が出退社する際にカードリーダで社員証カードを読み取らせて簡単な入力を行うだけで出退勤データ、休暇データ等が管理パソコンに送信されて自動的に集計されるので、転記・計算等の手間をかけることなく社員の勤務状況を把握することができるとしている。
【０００４】
しかし、この特許文献１に記載の出退勤管理システムにおいては、社員の勤務情報を取得する際に社員証カードを読み込ませる必要があるため、専用のカードリーダや、入力を行うためのタッチパネル等を備えた専用端末機が必要となり、特にバックヤードが狭く物を置くスペースが少ない小規模店舗においてはこのような専用端末機を設置することができず、またコストの点からもこのような出退勤管理システムを利用することが困難であるという問題がある。
【０００５】
そこで、特許文献２に記載の発明においては、勤務先において勤務者の出退勤等の所定の行動を確認する管理者が携帯電話を操作して、「ＱＲコード」（（株）デンソーウェーブの登録商標）等の二次元コードを二次元コード生成装置に生成させて携帯電話の画面に表示させ、その二次元コードを勤務者が自分のカメラ機能付き携帯電話で撮影して二次元コードのデータを読み取り、読み取ったデータを勤務管理サーバに送信して記録し、更にこの勤務情報を勤怠管理装置に送信する勤務情報処理システムを提案している。
【０００６】
この発明にかかる勤務情報処理システムにおいては、スペース的に上記特許文献１のような専用端末機を設置することができない場所やコスト的に専用端末機を設置できない場合であっても、省スペース・低コストで従業者等の勤務者の勤務状況を把握できるとしている。
【特許文献１】特開平９−１１５０２１号公報
【特許文献２】特開２００６−１８７９３号公報
【発明の開示】
【発明が解決しようとする課題】
【０００７】
しかしながら、上記特許文献２に記載の勤務情報処理システムにおいては、第１に各勤務場所に１人ずつ管理者として勤務者の行動を確認する人員が必要であって、人件費が掛かるととともに管理業務が煩雑であるという点、第２に各勤務場所に１台ずつ二次元コード生成装置が必要であるという点、第３に勤務者１人につき１つずつカメラ機能付き携帯電話が必要であるという点、第４に各勤務者の勤務情報を各勤務者の評価に直接的に反映できないという問題点があった。
【０００８】
更に、上記特許文献２に記載の勤務情報処理システムは、勤務状況の把握にしか利用できず、他の用途に適用できないという問題点があった。
【０００９】
そこで、本発明は、仕事または学習についての個人ごとの時間情報を省スペース・低コストで把握し、かつ個人ごとに評価することができる勤怠状況管理システム、勤怠状況管理方法、学習状況管理システム及び学習状況管理方法を提供することを課題とする。
【課題を解決するための手段】
【００１０】
請求項１の発明にかかる勤怠状況管理システムは、各勤務者１人当たり１枚ずつ配布される勤務者カードであって、前記各勤務者の識別データがコード化された二次元コードが印刷された勤務者カードと、前記各勤務者がそれぞれの職場において出入りする出入口近傍に設置され、前記勤務者カードに印刷された前記二次元コードを撮影することによって前記二次元コードに記録された前記各勤務者の識別データを読み取り、前記識別データを前記各勤務者のステータス情報及び職場データとともに回線を介してシステムコンピュータに送信する二次元コード撮影送信手段と、前記システムコンピュータに設けられ、前記二次元コード撮影送信手段から前記回線を介して送信される前記職場データ、前記識別データ及び前記ステータス情報を受信し、受信年月日及び受信時刻とともに記憶する勤怠時間メモリと、前記システムコンピュータに設けられ、所定の期間ごとに前記勤怠時間メモリに蓄積された前記各勤務者の前記識別データ及び前記ステータス情報から前記各勤務者の総勤務時間及び勤務状況からなる勤怠データを算出する勤怠データ算出手段と、前記システムコンピュータに設けられ、前記勤怠データから前記勤務者の勤務態度を評価して勤務態度評価データを作成する勤務態度評価手段と、前記勤務態度評価手段によって作成された勤務態度評価データに基づいて付与される特典の種類及びサイズを算出する特典算出手段と、前記勤務者からの要求に基づいて前記特典算出手段によって算出された特典の種類及びサイズの範囲内で特典を付与する特典付与手段とを有する特典管理コンピュータとを具備するものである。
【００１１】
請求項２の発明にかかる勤怠状況管理システムは、請求項１の構成において、前記特典管理コンピュータは前記勤務者による前記特典の利用実績を前記システムコンピュータに送信する特典利用実績送信手段をも有するものである。
【００１２】
請求項３の発明にかかる勤怠状況管理方法は、各勤務者の識別データがコード化された二次元コードが印刷された勤務者カードの前記二次元コードを前記各勤務者がそれぞれの職場において出入りする出入口近傍に設置された二次元コード撮影送信手段を用いて撮影することによって前記二次元コードに記録された前記各勤務者の識別データを読み取る工程と、前記二次元コード撮影送信手段を用いて前記識別データを前記各勤務者のステータス情報及び職場データとともに回線を介してシステムコンピュータに送信する工程と、前記二次元コード撮影送信手段から前記回線を介して送信される前記職場データ、前記識別データ及び前記ステータス情報を受信して、前記システムコンピュータに設けられた勤怠時間メモリに受信年月日及び受信時刻とともに記憶する工程と、所定の期間ごとに前記勤怠時間メモリに蓄積された前記各勤務者の前記識別データ及び前記ステータス情報から前記各勤務者の総勤務時間及び勤務状況からなる勤怠データを算出する工程と、前記勤怠データから前記勤務者の勤務態度を評価して勤務態度評価データを作成する工程と、前記勤務態度評価データに基づいて付与される特典の種類及びサイズを算出する工程と、前記各勤務者からの要求に基づいて算出された前記特典の種類及びサイズの範囲内で特典を付与する工程とを具備するものである。
【００１３】
請求項４の発明にかかる勤怠状況管理システムまたは勤怠状況管理方法は、請求項１乃至請求項３のいずれか１つの構成において、前記特典は給料の一部前払いであるものである。
【００１４】
請求項５の発明にかかる学習状況管理システムは、各受講者１人当たり１枚ずつ配布される受講者カードであって、前記各受講者の識別データがコード化された二次元コードが印刷された受講者カードと、前記各受講者がそれぞれの受講場所に出入りする出入口近傍に設置され、前記受講者カードに印刷された前記二次元コードを撮影することによって前記二次元コードに記録された前記各受講者の識別データを読み取り、前記識別データを前記各受講者のステータス情報及び受講場所データとともに回線を介してシステムコンピュータに送信する二次元コード撮影送信手段と、前記システムコンピュータに設けられ、前記二次元コード撮影送信手段から前記回線を介して送信される前記各受講者の前記受講場所データ、前記識別データ及び前記ステータス情報を受信し、受信年月日及び受信時刻とともに記憶する学習時間メモリと、前記システムコンピュータに設けられ、所定の期間ごとに前記学習時間メモリに蓄積された前記各受講者の前記識別データ及び前記ステータス情報から前記各受講者の総学習時間及び学習状況からなる学習時間データを算出する学習時間データ算出手段と、前記システムコンピュータに設けられ、前記学習時間データから前記受講者の学習態度を評価して学習態度評価データを作成する学習態度評価手段と、
前記学習態度評価手段によって作成された学習態度評価データに基づいて付与される特典の種類及びサイズを算出する特典算出手段と、前記受講者からの要求に基づいて前記特典算出手段によって算出された特典の種類及びサイズの範囲内で特典を付与する特典付与手段とを有する特典管理コンピュータとを具備するものである。
【００１５】
請求項６の発明にかかる学習状況管理システムは、各受講者１人当たり１枚ずつ配布される受講者カードであって、前記各受講者の識別データがコード化された二次元コードが印刷された受講者カードと、前記各受講者の担当教師が携帯し、前記受講者カードに印刷された前記二次元コードを撮影することによって前記二次元コードに記録された前記各受講者の識別データを読み取り、前記識別データを前記各受講者のステータス情報及び担当教師データとともに回線を介してシステムコンピュータに送信する二次元コード撮影送信手段と、前記システムコンピュータに設けられ、前記二次元コード撮影送信手段から前記回線を介して送信される前記各受講者の前記担当教師データ、前記識別データ及び前記ステータス情報を受信し、受信年月日及び受信時刻とともに記憶する学習時間メモリと、  前記システムコンピュータに設けられ、所定の期間ごとに前記学習時間メモリに蓄積された前記各受講者の前記識別データ及び前記ステータス情報から前記各受講者の総学習時間及び学習状況からなる学習時間データを算出する学習時間データ算出手段と、前記システムコンピュータに設けられ、前記学習時間データから前記受講者の学習態度を評価して学習態度評価データを作成する学習態度評価手段と、前記学習態度評価手段によって作成された学習態度評価データに基づいて付与される特典の種類及びサイズを算出する特典算出手段と、前記受講者からの要求に基づいて前記特典算出手段によって算出された特典の種類及びサイズの範囲内で特典を付与する特典付与手段とを有する特典管理コンピュータと
を具備するものである。
【００１６】
請求項７の発明にかかる学習状況管理システムは、請求項５または請求項６の構成において、前記特典管理コンピュータは前記受講者による前記特典の利用実績を前記システムコンピュータに送信する特典利用実績送信手段をも有するものである。
【００１７】
請求項８の発明にかかる学習状況管理方法は、各受講者の識別データがコード化された二次元コードが印刷された受講者カードの前記二次元コードを前記各受講者がそれぞれの受講場所において出入りする出入口近傍に設置された二次元コード撮影送信手段を用いて撮影することによって前記二次元コードに記録された前記各受講者の識別データを読み取る工程と、前記二次元コード撮影送信手段を用いて前記識別データを前記受講者のステータス情報及び受講場所データとともに回線を介してシステムコンピュータに送信する工程と、前記二次元コード撮影送信手段から前記回線を介して送信される前記識別データ、前記ステータス情報及び前記受講場所データを受信して、前記システムコンピュータに設けられた学習時間メモリに受信年月日及び受信時刻とともに記憶する工程と、所定の期間ごとに前記学習時間メモリに蓄積された前記各受講者の前記識別データ及び前記ステータス情報から前記各受講者の総学習時間及び学習状況からなる学習時間データを算出する工程と、前記学習時間データから前記受講者の学習態度を評価して学習態度評価データを作成する工程と、前記学習態度評価データに基づいて付与される特典の種類及びサイズを算出する工程と、前記各受講者からの要求に基づいて算出された前記特典の種類及びサイズの範囲内で特典を付与する工程とを具備するものである。
【００１８】
請求項９の発明にかかる学習状況管理方法は、各受講者の識別データがコード化された二次元コードが印刷された受講者カードの前記二次元コードを前記各受講者がそれぞれの担当教師が所持する二次元コード撮影送信手段を用いて撮影することによって前記二次元コードに記録された前記各受講者の識別データを読み取る工程と、前記二次元コード撮影送信手段を用いて前記識別データを前記受講者のステータス情報及び担当教師データとともに回線を介してシステムコンピュータに送信する工程と、前記二次元コード撮影送信手段から前記回線を介して送信される前記担当教師データ、前記識別データ及び前記ステータス情報を受信して、前記システムコンピュータに設けられた学習時間メモリに受信年月日及び受信時刻とともに記憶する工程と、所定の期間ごとに前記学習時間メモリに蓄積された前記各受講者の前記識別データ及び前記ステータス情報から前記各受講者の総学習時間及び学習状況からなる学習時間データを算出する工程と、前記学習時間データから前記受講者の学習態度を評価して学習態度評価データを作成する工程と、前記学習態度評価データに基づいて付与される特典の種類及びサイズを算出する工程と、前記各受講者からの要求に基づいて算出された前記特典の種類及びサイズの範囲内で特典を付与する工程とを具備するものである。
【００１９】
請求項１０の発明にかかる学習状況管理システムまたは学習状況管理方法は、請求項５乃至請求項９のいずれか１つの構成において、前記特典は受講料の割引であるものである。
【００２０】
請求項１１の発明にかかる勤務状況管理システム、勤務状況管理方法、学習状況管理システムまたは学習状況管理方法は、請求項１乃至請求項１０のいずれか１つの構成において、前記二次元コード撮影送信手段はカメラ機能付き携帯電話機であるものである。
【００２１】
請求項１２の発明にかかる勤務状況管理システム、勤務状況管理方法、学習状況管理システムまたは学習状況管理方法は、請求項１乃至請求項１１のいずれか１つの構成において、前記二次元コードは「ＱＲコード」（登録商標）であるものである。
【発明の効果】
【００２２】
請求項１の発明にかかる勤怠状況管理システムは、各勤務者１人当たり１枚ずつ配布される勤務者カードであって、各勤務者の識別データがコード化された二次元コードが印刷された勤務者カードと、各勤務者がそれぞれの職場において出入りする出入口近傍に設置され、勤務者カードに印刷された二次元コードを撮影することによって二次元コードに記録された各勤務者の識別データを読み取り、識別データを各勤務者のステータス情報及び職場データとともに回線を介してシステムコンピュータに送信する二次元コード撮影送信手段と、システムコンピュータに設けられ、二次元コード撮影送信手段から回線を介して送信される職場データ、識別データ及びステータス情報を受信し、受信年月日及び受信時刻とともに記憶する勤怠時間メモリと、システムコンピュータに設けられ、所定の期間ごとに勤怠時間メモリに蓄積された各勤務者の識別データ及びステータス情報から各勤務者の総勤務時間及び勤務状況からなる勤怠データを算出する勤怠データ算出手段と、システムコンピュータに設けられ、勤怠データから勤務者の勤務態度を評価して勤務態度評価データを作成する勤務態度評価手段と、勤務態度評価手段によって作成された勤務態度評価データに基づいて付与される特典の種類及びサイズを算出する特典算出手段と、勤務者からの要求に基づいて特典算出手段によって算出された特典の種類及びサイズの範囲内で特典を付与する特典付与手段とを有する特典管理コンピュータとを具備する。
【００２３】
ここで、「二次元コード」としては、ＱＲコード（登録商標）、ＶＳコード（登録商標）、ＣＰコード、ＰＤＦ４１７、ＤａｔａＭａｔｒｉｘ、Ｍａｘｉ  Ｃｏｄｅ、等を用いることができる。本発明にかかる勤怠状況管理システムにおいては、各勤務者が固有の二次元コードが印刷された勤務者カードを携帯しており、職場に出入りする場合には、出入口近傍に設置されている二次元コード撮影送信手段によって自分の勤務者カードの二次元コードを撮影して、「出勤」、「退勤」、「外出」、「戻り」等のステータス情報とともに、システムコンピュータに送信する。
【００２４】
職場の出入口近傍に設置されている二次元コード撮影送信手段には予め職場データが登録されているので、二次元コード撮影送信手段によって職場データ、識別データ及びステータス情報が送信され、システムコンピュータによって受信されるとシステムコンピュータの時計機能によって受信年月日及び受信時刻とともに勤怠時間メモリに記憶される。そして、所定の期間ごとにシステムコンピュータの勤怠時間メモリに蓄積された各勤務者の識別データ及びステータス情報から各勤務者の総勤務時間及び勤務状況からなる勤怠データが、システムコンピュータの勤怠データ算出手段によって算出される。
【００２５】
そこで、システムコンピュータの勤務態度評価手段によって、勤怠データから勤務者の勤務態度が評価されて勤務態度評価データが作成される。この勤務態度評価データに基づいて、特典管理コンピュータの特典算出手段によって、付与される特典の種類及びサイズが算出され、勤務者からの要求に基づいて、算出された特典の種類及びサイズの範囲内において、特典管理コンピュータの特典付与手段によって、勤務者に特典が付与される。ここで、「特典の種類」とは例えば「給与の前払い」であり、「特典のサイズ」とは例えば「その時点までの勤務時間に相当する給与の７０％」といったものである。
【００２６】
このように、例えば、勤務態度評価データの中の勤務時間に基づいて、特典の種類及びサイズが算出され、勤務者からの要求に基づいて、算出された特典の種類及びサイズの範囲内において、特典管理コンピュータの特典付与手段によって特典が付与される。特典として「給与の前払い」の場合を例にとれば、勤務者が給与の前払いを望む場合には、給与振込み口座のある銀行のコンピュータに携帯電話・パソコン等からアクセスして、給与の前払いの要求をすれば、銀行のコンピュータはシステムコンピュータと接続されているため、算出された「特典のサイズ」、例えば「その時点までの勤務時間に相当する給与の７０％」の範囲内で、当該勤務者の給与振込み口座に指定された金額が振り込まれる。
【００２７】
この場合には、給与振込み口座のある銀行のコンピュータが特典管理コンピュータに該当し、評価の対象としては勤務態度評価データの中の勤務時間のみを評価しているが、勤務態度評価データの中の勤務時間が、各勤務者について予め定められている標準勤務時間の例えば９０％以上である場合に限って特典を付与する方式としても良いし、または勤怠データの勤務状況において「遅刻・早退」の回数が所定回数以上の場合には、勤務態度不良として特典を付与しない方式としても良い。
【００２８】
このようにして、各勤務者が二次元コードが印刷された勤務者カードを携帯し、かつ職場の出入口に小型の二次元コード撮影送信手段を設置するだけで、仕事についての個人ごとの時間情報を省スペース・低コストで把握し、かつ個人ごとに評価することができる勤怠状況管理システムとなる。
【００２９】
請求項２の発明にかかる勤怠状況管理システムは、特典管理コンピュータが勤務者による特典の利用実績をシステムコンピュータに送信する特典利用実績送信手段をも有するものである。
【００３０】
勤務者に付与される特典が、例えば上述したような給与の前払いであるような場合には、月ごとの給与の支払日には勤務者に前払いした給与分を控除して給与を支払う必要があるため、システムコンピュータが勤務者に付与された特典の実績を把握している必要がある。そこで、特典管理コンピュータが特典利用実績送信手段をも有しており、勤務者による特典の利用実績をシステムコンピュータに送信することによって、システムコンピュータが勤務者に付与された特典の実績を把握することができる。
【００３１】
このようにして、各勤務者が二次元コードが印刷された勤務者カードを携帯し、かつ職場の出入口に小型の二次元コード撮影送信手段を設置するだけで、仕事についての個人ごとの時間情報を省スペース・低コストで把握し、かつ個人ごとに評価することができる勤怠状況管理システムとなる。
【００３２】
請求項３の発明にかかる勤怠状況管理方法は、各勤務者の識別データがコード化された二次元コードが印刷された勤務者カードの二次元コードを各勤務者がそれぞれの職場において出入りする出入口近傍に設置された二次元コード撮影送信手段を用いて撮影することによって二次元コードに記録された各勤務者の識別データを読み取る工程と、二次元コード撮影送信手段を用いて識別データを各勤務者のステータス情報及び職場データとともに回線を介してシステムコンピュータに送信する工程と、二次元コード撮影送信手段から回線を介して送信される職場データ、識別データ及びステータス情報を受信して、システムコンピュータに設けられた勤怠時間メモリに受信年月日及び受信時刻とともに記憶する工程と、所定の期間ごとに勤怠時間メモリに蓄積された各勤務者の識別データ及びステータス情報から各勤務者の総勤務時間及び勤務状況からなる勤怠データを算出する工程と、勤怠データから勤務者の勤務態度を評価して勤務態度評価データを作成する工程と、勤務態度評価データに基づいて付与される特典の種類及びサイズを算出する工程と、各勤務者からの要求に基づいて算出された特典の種類及びサイズの範囲内で特典を付与する工程とを具備する。
【００３３】
本発明にかかる勤怠状況管理方法においては、各勤務者が固有の二次元コードが印刷された勤務者カードを携帯しており、職場に出入りする場合には、出入口近傍に設置されている二次元コード撮影送信手段によって自分の勤務者カードの二次元コードを撮影して、各勤務者の識別データを読み取り、「出勤」、「退勤」、「外出」、「戻り」等のステータス情報とともに、システムコンピュータに送信する。
【００３４】
二次元コード撮影送信手段には予め職場データが登録されているので、二次元コード撮影送信手段によって職場データ、識別データ及びステータス情報が送信され、システムコンピュータによって受信されるとシステムコンピュータの時計機能によって受信年月日及び受信時刻とともに勤怠時間メモリに記憶される。そして、所定の期間ごとにシステムコンピュータの勤怠時間メモリに蓄積された各勤務者の識別データ及びステータス情報から、各勤務者の総勤務時間及び勤務状況からなる勤怠データが算出される。
【００３５】
そこで、勤怠データから勤務者の勤務態度が評価されて勤務態度評価データが作成される。この勤務態度評価データに基づいて、付与される特典の種類及びサイズが算出され、勤務者からの要求に基づいて、算出された特典の種類及びサイズの範囲内において、勤務者に特典が付与される。ここで、「特典の種類」とは例えば「給与の前払い」であり、「特典のサイズ」とは例えば「その時点までの勤務時間に相当する給与の７０％」といったものである。
【００３６】
このように、例えば、勤務態度評価データの中の勤務時間に基づいて、特典の種類及びサイズが算出され、勤務者からの要求に基づいて、算出された特典の種類及びサイズの範囲内において、特典が付与される。特典として「給与の前払い」の場合を例にとれば、勤務者が給与の前払いを望む場合には、給与振込み口座のある銀行のコンピュータに携帯電話・パソコン等からアクセスして、給与の前払いの要求をすれば、銀行のコンピュータはシステムコンピュータと接続されているため、算出された「特典のサイズ」、例えば「その時点までの勤務時間に相当する給与の７０％」の範囲内で、当該勤務者の給与振込み口座に指定された金額が振り込まれる。
【００３７】
この場合には、評価の対象としては勤務態度評価データの中の勤務時間のみを評価しているが、勤務態度評価データの中の勤務時間が、各勤務者について予め定められている標準勤務時間の例えば９０％以上である場合に限って特典を付与する方式としても良いし、または勤怠データの勤務状況において「遅刻・早退」の回数が所定回数以上の場合には、勤務態度不良として特典を付与しない方式としても良い。
【００３８】
このようにして、各勤務者が二次元コードが印刷された勤務者カードを携帯し、かつ職場の出入口に小型の二次元コード撮影送信手段を設置するだけで、仕事についての個人ごとの時間情報を省スペース・低コストで把握し、かつ個人ごとに評価することができる勤怠状況管理方法となる。
【００３９】
請求項４の発明にかかる勤怠状況管理システムまたは勤怠状況管理方法においては、特典が給料の一部前払いである。
【００４０】
勤務者にとっては、勤務の特典として給料の一部前払いを受けることができれば非常に便利であり、それが各勤務者の評価にも関わってくるとなれば、誠実にかつ勤勉に仕事に精進しようとするドライバビリティにもなるため、企業にとっても全体の活性化につながり、良い結果につながることとなる。
【００４１】
このようにして、各勤務者が二次元コードが印刷された勤務者カードを携帯し、かつ職場の出入口に小型の二次元コード撮影送信手段を設置するだけで、仕事についての個人ごとの時間情報を省スペース・低コストで把握し、かつ個人ごとに評価することができる勤務状況管理システムまたは勤怠状況管理方法となる。
【００４２】
請求項５の発明にかかる学習状況管理システムは、各受講者１人当たり１枚ずつ配布される受講者カードであって、各受講者の識別データがコード化された二次元コードが印刷された受講者カードと、各受講者がそれぞれの受講場所に出入りする出入口近傍に設置され、受講者カードに印刷された二次元コードを撮影することによって二次元コードに記録された各受講者の識別データを読み取り、識別データを各受講者のステータス情報及び受講場所データとともに回線を介してシステムコンピュータに送信する二次元コード撮影送信手段と、システムコンピュータに設けられ、二次元コード撮影送信手段から回線を介して送信される各受講者の受講場所データ、識別データ及びステータス情報を受信し、受信年月日及び受信時刻とともに記憶する学習時間メモリと、システムコンピュータに設けられ、所定の期間ごとに学習時間メモリに蓄積された各受講者の識別データ及びステータス情報から各受講者の総学習時間及び学習状況からなる学習時間データを算出する学習時間データ算出手段と、システムコンピュータに設けられ、学習時間データから受講者の学習態度を評価して学習態度評価データを作成する学習態度評価手段と、学習態度評価手段によって作成された学習態度評価データに基づいて付与される特典の種類及びサイズを算出する特典算出手段と、受講者からの要求に基づいて特典算出手段によって算出された特典の種類及びサイズの範囲内で特典を付与する特典付与手段とを有する特典管理コンピュータとを具備する。
【００４３】
ここで、「二次元コード」としては、ＱＲコード（登録商標）、ＶＳコード（登録商標）、ＣＰコード、ＰＤＦ４１７、ＤａｔａＭａｔｒｉｘ、Ｍａｘｉ  Ｃｏｄｅ、等を用いることができる。本発明にかかる学習状況管理システムにおいては、各受講者が固有の二次元コードが印刷された受講者カードを携帯しており、受講場所に出入りする場合には、出入口近傍に設置されている二次元コード撮影送信手段によって自分の受講者カードの二次元コードを撮影して、「学習開始」、「学習終了」、「休憩」、「再開」等のステータス情報とともに、システムコンピュータに送信する。
【００４４】
学習場所の出入口近傍に設置されている二次元コード撮影送信手段には予め学習場所データが登録されているので、二次元コード撮影送信手段によって学習場所データ、識別データ及びステータス情報が送信され、システムコンピュータによって受信されるとシステムコンピュータの時計機能によって受信年月日及び受信時刻とともに学習時間メモリに記憶される。そして、所定の期間ごとにシステムコンピュータの学習時間メモリに蓄積された各受講者の識別データ及びステータス情報から各受講者の総学習時間及び学習状況からなる学習時間データが、システムコンピュータの学習時間データ算出手段によって算出される。
【００４５】
そこで、システムコンピュータの学習態度評価手段によって、学習時間データから受講者の学習態度が評価されて学習態度評価データが作成される。この学習態度評価データに基づいて、特典管理コンピュータの特典算出手段によって、付与される特典の種類及びサイズが算出され、受講者からの要求に基づいて、算出された特典の種類及びサイズの範囲内において、特典管理コンピュータの特典付与手段によって、受講者に特典が付与される。ここで、「特典の種類」とは例えば「受講料の割引」であり、「特典のサイズ」とは例えば「来月分の受講料の１０％」といったものである。
【００４６】
このように、例えば、学習態度評価データの中の学習時間に基づいて、特典の種類及びサイズが算出され、受講者からの要求に基づいて、算出された特典の種類及びサイズの範囲内において、特典管理コンピュータの特典付与手段によって特典が付与される。特典として「受講料の割引」の場合を例にとれば、勤務者が受講料の割引を望む場合には、受講料振込み口座のある銀行のコンピュータに携帯電話・パソコン等からアクセスして、次月の受講料の割引の要求をすれば、銀行のコンピュータはシステムコンピュータと接続されているため、算出された「特典のサイズ」、例えば「来月分の受講料の１０％」の範囲内で、スクールの受講料振込み口座への当該受講者の振込み金額が割引される。
【００４７】
この場合には、受講料振込み口座のある銀行のコンピュータが特典管理コンピュータに該当し、評価の対象としては学習態度評価データの中の学習時間のみを評価しているが、学習態度評価データの中の学習時間が、各受講者について予め定められている標準学習時間の例えば９０％以上である場合に限って特典を付与する方式としても良いし、または学習時間データの学習状況において「遅刻・早退」の回数が所定回数以上の場合には、学習態度不良として特典を付与しない方式としても良い。
【００４８】
このようにして、各受講者が二次元コードが印刷された受講者カードを携帯し、かつ学習場所の出入口に小型の二次元コード撮影送信手段を設置するだけで、学習についての個人ごとの時間情報を省スペース・低コストで把握し、かつ個人ごとに評価することができる学習状況管理システムとなる。
【００４９】
請求項６の発明にかかる学習状況管理システムは、各受講者１人当たり１枚ずつ配布される受講者カードであって、各受講者の識別データがコード化された二次元コードが印刷された受講者カードと、各受講者の担当教師が携帯し、受講者カードに印刷された二次元コードを撮影することによって二次元コードに記録された各受講者の識別データを読み取り、識別データを各受講者のステータス情報及び担当教師データとともに回線を介してシステムコンピュータに送信する二次元コード撮影送信手段と、システムコンピュータに設けられ、二次元コード撮影送信手段から回線を介して送信される各受講者の担当教師データ、識別データ及びステータス情報を受信し、受信年月日及び受信時刻とともに記憶する学習時間メモリと、システムコンピュータに設けられ、所定の期間ごとに学習時間メモリに蓄積された各受講者の識別データ及びステータス情報から各受講者の総学習時間及び学習状況からなる学習時間データを算出する学習時間データ算出手段と、システムコンピュータに設けられ、学習時間データから受講者の学習態度を評価して学習態度評価データを作成する学習態度評価手段と、学習態度評価手段によって作成された学習態度評価データに基づいて付与される特典の種類及びサイズを算出する特典算出手段と、受講者からの要求に基づいて特典算出手段によって算出された特典の種類及びサイズの範囲内で特典を付与する特典付与手段とを有する特典管理コンピュータとを具備する。
【００５０】
本発明にかかる学習状況管理システムは、主として家庭教師等の受講者の自宅へ教師が出向いて学習を行う方式の学習状況を管理するものである。各受講者は固有の二次元コードが印刷された受講者カードを携帯しており、担当教師が携帯している二次元コード撮影送信手段によって、受講者または担当教師が受講者カードの二次元コードを撮影して、「学習開始」、「学習終了」、「休憩」、「再開」等のステータス情報とともに、システムコンピュータに送信する。
【００５１】
ここで、担当教師が携帯している二次元コード撮影送信手段には予め担当教師データが登録されているので、二次元コード撮影送信手段によって担当教師データ、識別データ及びステータス情報が送信され、システムコンピュータによって受信されるとシステムコンピュータの時計機能によって受信年月日及び受信時刻とともに学習時間メモリに記憶される。そして、所定の期間ごとにシステムコンピュータの学習時間メモリに蓄積された各受講者の識別データ及びステータス情報から各受講者の総学習時間及び学習状況からなる学習時間データが、システムコンピュータの学習時間データ算出手段によって算出される。
【００５２】
そこで、システムコンピュータの学習態度評価手段によって、学習時間データから受講者の学習態度が評価されて学習態度評価データが作成される。この学習態度評価データに基づいて、特典管理コンピュータの特典算出手段によって、付与される特典の種類及びサイズが算出され、受講者からの要求に基づいて、算出された特典の種類及びサイズの範囲内において、特典管理コンピュータの特典付与手段によって、受講者に特典が付与される。ここで、「特典の種類」とは例えば「受講料の割引」であり、「特典のサイズ」とは例えば「来月分の受講料の１０％」といったものである。
【００５３】
このように、例えば、学習態度評価データの中の学習時間に基づいて、特典の種類及びサイズが算出され、受講者からの要求に基づいて、算出された特典の種類及びサイズの範囲内において、特典管理コンピュータの特典付与手段によって特典が付与される。特典として「受講料の割引」の場合を例にとれば、受講者が受講料の割引を望む場合には、受講料振込み口座のある銀行のコンピュータに携帯電話・パソコン等からアクセスして、次月の受講料の割引の要求をすれば、銀行のコンピュータはシステムコンピュータと接続されているため、算出された「特典のサイズ」、例えば「来月分の受講料の１０％」の範囲内で、スクールの受講料振込み口座への当該受講者の振込み金額が割引される。
【００５４】
この場合には、受講料振込み口座のある銀行のコンピュータが特典管理コンピュータに該当し、評価の対象としては学習態度評価データの中の学習時間のみを評価しているが、学習態度評価データの中の学習時間が、各受講者について予め定められている標準学習時間の例えば９０％以上である場合に限って特典を付与する方式としても良いし、または学習時間データの学習状況において「遅刻・早退」の回数が所定回数以上の場合には、学習態度不良として特典を付与しない方式としても良い。
【００５５】
このようにして、各受講者が二次元コードが印刷された受講者カードを携帯し、かつ担当教師が小型の二次元コード撮影送信手段を携帯するだけで、学習についての個人ごとの時間情報を省スペース・低コストで把握し、かつ個人ごとに評価することができる学習状況管理システムとなる。
【００５６】
請求項７の発明にかかる学習状況管理システムは、特典管理コンピュータが受講者による特典の利用実績をシステムコンピュータに送信する特典利用実績送信手段をも有するものである。
【００５７】
受講者に付与される特典が、例えば上述したような受講料の割引であるような場合には、システムコンピュータが受講者に付与された特典の実績を把握している必要がある。そこで、特典管理コンピュータが特典利用実績送信手段をも有しており、受講者による特典の利用実績をシステムコンピュータに送信することによって、システムコンピュータが受講者に付与された特典の実績を把握することができる。
【００５８】
このようにして、各受講者が二次元コードが印刷された受講者カードを携帯し、かつ二次元コード撮影送信手段を備えるだけで、学習についての個人ごとの時間情報を省スペース・低コストで把握し、かつ個人ごとに評価することができる学習状況管理システムとなる。
【００５９】
請求項８の発明にかかる学習状況管理方法は、各受講者の識別データがコード化された二次元コードが印刷された受講者カードの二次元コードを各受講者がそれぞれの受講場所において出入りする出入口近傍に設置された二次元コード撮影送信手段を用いて撮影することによって二次元コードに記録された各受講者の識別データを読み取る工程と、二次元コード撮影送信手段を用いて識別データを受講者のステータス情報及び受講場所データとともに回線を介してシステムコンピュータに送信する工程と、二次元コード撮影送信手段から回線を介して送信される識別データ、ステータス情報及び受講場所データを受信して、システムコンピュータに設けられた学習時間メモリに受信時刻とともに記憶する工程と、所定の期間ごとに学習時間メモリに蓄積された各受講者の識別データ及びステータス情報から各受講者の総学習時間及び学習状況からなる学習時間データを算出する工程と、学習時間データから受講者の学習態度を評価して学習態度評価データを作成する工程と、学習態度評価データに基づいて付与される特典の種類及びサイズを算出する工程と、各受講者からの要求に基づいて算出された特典の種類及びサイズの範囲内で特典を付与する工程とを具備する。
【００６０】
本発明にかかる学習状況管理方法においては、各受講者が固有の二次元コードが印刷された受講者カードを携帯しており、学習場所に出入りする場合には、出入口近傍に設置されている二次元コード撮影送信手段によって自分の受講者カードの二次元コードを撮影して、各受講者の識別データを読み取り、「学習開始」、「学習終了」、「休憩」、「再開」等のステータス情報とともに、システムコンピュータに送信する。
【００６１】
二次元コード撮影送信手段には予め学習場所データが登録されているので、二次元コード撮影送信手段によって学習場所データ、識別データ及びステータス情報が送信され、システムコンピュータによって受信されるとシステムコンピュータの時計機能によって受信年月日及び受信時刻とともに学習時間メモリに記憶される。そして、所定の期間ごとにシステムコンピュータの学習時間メモリに蓄積された各受講者の識別データ及びステータス情報から、各受講者の総学習時間及び学習状況からなる学習時間データが算出される。
【００６２】
そこで、学習時間データから受講者の学習態度が評価されて学習態度評価データが作成される。この学習態度評価データに基づいて、付与される特典の種類及びサイズが算出され、受講者からの要求に基づいて、算出された特典の種類及びサイズの範囲内において、受講者に特典が付与される。ここで、「特典の種類」とは例えば「受講料の割引」であり、「特典のサイズ」とは例えば「来月分の受講料の１０％」といったものである。
【００６３】
このように、例えば、学習態度評価データの中の学習時間に基づいて、特典の種類及びサイズが算出され、受講者からの要求に基づいて、算出された特典の種類及びサイズの範囲内において特典が付与される。特典として「受講料の割引」の場合を例にとれば、受講者が受講料の割引を望む場合には、受講料振込み口座のある銀行のコンピュータに携帯電話・パソコン等からアクセスして、次月の受講料の割引の要求をすれば、銀行のコンピュータはシステムコンピュータと接続されているため、算出された「特典のサイズ」、例えば「来月分の受講料の１０％」の範囲内で、スクールの受講料振込み口座への当該受講者の振込み金額が割引される。
【００６４】
この場合には、評価の対象としては学習態度評価データの中の学習時間のみを評価しているが、学習態度評価データの中の学習時間が、各受講者について予め定められている標準学習時間の例えば９０％以上である場合に限って特典を付与する方式としても良いし、または学習時間データの学習状況において「遅刻・早退」の回数が所定回数以上の場合には、学習態度不良として特典を付与しない方式としても良い。
【００６５】
このようにして、各受講者が二次元コードが印刷された受講者カードを携帯し、かつ学習場所に小型の二次元コード撮影送信手段を設置するだけで、学習についての個人ごとの時間情報を省スペース・低コストで把握し、かつ個人ごとに評価することができる学習状況管理方法となる。
【００６６】
請求項９の発明にかかる学習状況管理方法は、各受講者の識別データがコード化された二次元コードが印刷された受講者カードの二次元コードを各受講者がそれぞれの担当教師が所持する二次元コード撮影送信手段を用いて撮影することによって二次元コードに記録された各受講者の識別データを読み取る工程と、二次元コード撮影送信手段を用いて識別データを受講者のステータス情報及び担当教師データとともに回線を介してシステムコンピュータに送信する工程と、二次元コード撮影送信手段から回線を介して送信される担当教師データ、識別データ及びステータス情報を受信して、システムコンピュータに設けられた学習時間メモリに受信年月日及び受信時刻とともに記憶する工程と、所定の期間ごとに学習時間メモリに蓄積された各受講者の識別データ及びステータス情報から各受講者の総学習時間及び学習状況からなる学習時間データを算出する工程と、学習時間データから受講者の学習態度を評価して学習態度評価データを作成する工程と、学習態度評価データに基づいて付与される特典の種類及びサイズを算出する工程と、各受講者からの要求に基づいて算出された特典の種類及びサイズの範囲内で特典を付与する工程とを具備する。
【００６７】
本発明にかかる学習状況管理方法は、主として家庭教師等の受講者の自宅へ教師が出向いて学習を行う方式の学習状況を管理するものである。各受講者は固有の二次元コードが印刷された受講者カードを携帯しており、担当教師が所持している二次元コード撮影送信手段によって、受講者または担当教師が受講者カードの二次元コードを撮影して各受講者の識別データを読み取り、「学習開始」、「学習終了」、「休憩」、「再開」等のステータス情報とともに、システムコンピュータに送信する。
【００６８】
ここで、担当教師が所持している二次元コード撮影送信手段には予め担当教師データが登録されているので、二次元コード撮影送信手段によって担当教師データ、識別データ及びステータス情報が送信され、システムコンピュータによって受信されるとシステムコンピュータの時計機能によって受信年月日及び受信時刻とともに学習時間メモリに記憶される。そして、所定の期間ごとにシステムコンピュータの学習時間メモリに蓄積された各受講者の識別データ及びステータス情報から、各受講者の総学習時間及び学習状況からなる学習時間データが算出される。
【００６９】
そこで、学習時間データから受講者の学習態度が評価されて学習態度評価データが作成される。この学習態度評価データに基づいて、付与される特典の種類及びサイズが算出され、受講者からの要求に基づいて、算出された特典の種類及びサイズの範囲内において、受講者に特典が付与される。ここで、「特典の種類」とは例えば「受講料の割引」であり、「特典のサイズ」とは例えば「来月分の受講料の１０％」といったものである。
【００７０】
このように、例えば、学習態度評価データの中の学習時間に基づいて、特典の種類及びサイズが算出され、受講者からの要求に基づいて、算出された特典の種類及びサイズの範囲内において特典が付与される。特典として「受講料の割引」の場合を例にとれば、受講者が受講料の割引を望む場合には、受講料振込み口座のある銀行のコンピュータに携帯電話・パソコン等からアクセスして、次月の受講料の割引の要求をすれば、銀行のコンピュータはシステムコンピュータと接続されているため、算出された「特典のサイズ」、例えば「来月分の受講料の１０％」の範囲内で、スクールの受講料振込み口座への当該受講者の振込み金額が割引される。
【００７１】
この場合には、評価の対象としては学習態度評価データの中の学習時間のみを評価しているが、学習態度評価データの中の学習時間が、各受講者について予め定められている標準学習時間の例えば９０％以上である場合に限って特典を付与する方式としても良いし、または学習時間データの学習状況において「遅刻・早退」の回数が所定回数以上の場合には、学習態度不良として特典を付与しない方式としても良い。
【００７２】
このようにして、各受講者が二次元コードが印刷された受講者カードを携帯し、かつ担当教師が小型の二次元コード撮影送信手段を携帯するだけで、学習についての個人ごとの時間情報を省スペース・低コストで把握し、かつ個人ごとに評価することができる学習状況管理方法となる。
【００７３】
請求項１０の発明にかかる学習状況管理システムまたは学習状況管理方法においては、特典が受講料の割引である。受講者にとっては、学習の特典として受講料の割引を受けることができれば非常に励みになり、それが各受講者の評価にも関わってくるとなれば、誠実にかつ勤勉に学習に精進しようとするドライバビリティにもなるため、スクールにとっても全体の活性化につながり、良い結果を生み出すこととなる。
【００７４】
このようにして、各受講者が二次元コードが印刷された受講者カードを携帯し、かつ学習場所の出入口に小型の二次元コード撮影送信手段を設置するだけで、或いは担当教師が小型の二次元コード撮影送信手段を携帯するだけで、学習についての個人ごとの時間情報を省スペース・低コストで把握し、かつ個人ごとに評価することができる学習状況管理システムまたは学習状況管理方法となる。
【００７５】
請求項１１の発明にかかる勤務状況管理システム、勤務状況管理方法、学習状況管理システムまたは学習状況管理方法においては、二次元コード撮影送信手段がカメラ機能付き携帯電話機である。
【００７６】
携帯電話の機能は近年ますます多様化しており、単に外出先において電話やＥメールを送受信するための機器ではなくなって、インターネット、クレジットカード、音楽ソース、キャッシュカード、カメラ、テレビ電話、等の高度な機能を多種類装備した高性能機器として進化している。そこで、二次元コード撮影送信手段としてカメラ機能付き携帯電話機を用いることによって、小型で場所を取らず携帯にも便利な二次元コード撮影送信手段として直ちに応用することができる。
【００７７】
このようにして、各勤務者・各受講者が二次元コードが印刷された勤務者カード・受講者カードを携帯し、かつ職場・学習場所の出入口に小型の二次元コード撮影送信手段を設置するだけで、或いは担当教師が小型の二次元コード撮影送信手段を携帯するだけで、仕事・学習についての個人ごとの時間情報を省スペース・低コストで把握し、かつ個人ごとに評価することができる勤務状況管理システム、勤務状況管理方法、学習状況管理システムまたは学習状況管理方法となる。
【００７８】
請求項１２の発明にかかる勤務状況管理システム、勤務状況管理方法、学習状況管理システムまたは学習状況管理方法は、二次元コードが「ＱＲコード」（登録商標）であるものである。
【００７９】
ＱＲコードは二次元コードの中でも最も普及しているものであり、カメラ機能付き携帯電話機の中にも、ＱＲコード読み取り機能を備えたものが多種類出回っている。したがって、二次元コードとしてＱＲコードを用いることによって、直ちに管理システムを構築し、管理方法を実施することができる。
【００８０】
このようにして、各勤務者・各受講者が二次元コードが印刷された勤務者カード・受講者カードを携帯し、かつ職場・学習場所の出入口に小型の二次元コード撮影送信手段を設置するだけで、或いは担当教師が小型の二次元コード撮影送信手段を携帯するだけで、仕事・学習についての個人ごとの時間情報を省スペース・低コストで把握し、かつ個人ごとに評価することができる勤務状況管理システム、勤務状況管理方法、学習状況管理システムまたは学習状況管理方法となる。
【発明を実施するための最良の形態】
【００８１】
以下、本発明の実施の形態について、図面を参照しつつ説明する。
【００８２】
実施の形態１
まず、本発明の実施の形態１にかかる勤怠状況管理システム及び勤怠状況管理方法について、図１乃至図１３を参照して説明する。
【００８３】
図１は本発明の実施の形態１にかかる勤怠状況管理システム及び勤怠状況管理方法の概略を示す模式図である。図２は本発明の実施の形態１にかかる勤怠状況管理システムの全体構成を示すブロック図である。図３は本発明の実施の形態１にかかる勤怠状況管理方法の流れを示すフロー図の前半部分を示す図である。図４は本発明の実施の形態１にかかる勤怠状況管理方法の流れを示すフロー図の中間部分を示す図である。図５は本発明の実施の形態１にかかる勤怠状況管理方法の流れを示すフロー図の後半部分を示す図である。
【００８４】
図６は本発明の実施の形態１にかかる勤怠状況管理方法の流れを示すフロー図の中の「勤怠入力」の処理内容を示すフローチャートである。図７は本発明の実施の形態１にかかる勤怠状況管理方法の流れを示すフロー図の中の「勤怠編集・計算」の処理内容を示すフローチャートである。図８は本発明の実施の形態１にかかる勤怠状況管理方法の流れを示すフロー図の中の「前給データ送信処理」の処理内容を示すフローチャートである。図９は本発明の実施の形態１にかかる勤怠状況管理方法の流れを示すフロー図の中の「前給データ受信処理」の処理内容を示すフローチャートである。
【００８５】
図１０は本発明の実施の形態１にかかる勤怠状況管理システムの具体的な準備段階の前半の流れを示す説明図である。図１１は本発明の実施の形態１にかかる勤怠状況管理システムの具体的な準備段階の後半の流れを示す説明図である。図１２は本発明の実施の形態１にかかる勤怠状況管理システムの具体的な使用方法の前半の流れを示す説明図である。図１３は本発明の実施の形態１にかかる勤怠状況管理システムの具体的な使用方法の後半の流れを示す説明図である。
【００８６】
図１に示されるように、本実施の形態１に係る勤怠状況管理システム１は、各社員２に１人当たり１枚ずつ配布される社員カード３と、各社員２の勤務する職場に各一台ずつ設置される二次元コード撮影送信手段としてのカメラ機能付き携帯電話機５（以下、単に「携帯電話機５」ともいう。）と、カメラ機能付き携帯電話機５から送信されるデータを受信して社員情報管理等の処理を行うシステムコンピュータ６と、特典管理コンピュータとしての前給コンピュータ８を中心として構成されている。
【００８７】
ここで、本実施の形態１においては、前給コンピュータ８は各社員２の銀行口座に給与の振込みが行われる銀行のコンピュータであり、図１に示されるように、システムコンピュータ６と前給サービスについてのデータのやり取りをすることによって、前給サービスについてのデータを共有している。
【００８８】
社員カード３には、各社員２の識別データがコード化された二次元コードとしてのＱＲコード４が印刷されており、このＱＲコード４をカメラ機能付き携帯電話機５で撮影することによって、ＱＲコード４にコード化された社員２の識別データが読み取られ、この識別データと「出勤」、「退勤」、「外出」、「戻り」等のステータス情報とが、携帯電話機５によってシステムコンピュータ６に送信される。これらの勤怠データがシステムコンピュータ６内の勤怠データメモリ（記憶装置）に記憶され、１日に１回ずつ社員２ごとに勤務時間が計算され、記憶される。
【００８９】
この処理を毎日続けることによって、各社員２の勤務時間が累積されて行き、累積勤務時間が予め定められた標準勤務時間に対して所定の割合の時間を超えた場合には、特典として前給コンピュータ８を利用して、前給（給与の前払い）サービスを受けることができる。この前給サービスは、その時点におけるその月の累積勤務時間から算出される給与の７０％を限度として、各社員２が給与支払日前であっても給与の前払いを受けることができるものである。なお、本実施の形態１においては、累積勤務時間が予め定められた標準勤務時間に対して所定の割合を超えたか否かに関わらず、一律に全社員が前給サービスを受けることができるようにしている。
【００９０】
また、各社員２を雇用する企業のコンピュータ７からは、後述するように社員カード３を作成する際に社員情報がシステムコンピュータ６に送信され、更に企業のコンピュータ７からシステムコンピュータ６にアクセスすることによって、各社員２の勤務状況に関する種々のデータを取得することができる。
【００９１】
次に、本実施の形態１にかかる勤怠状況管理システム１のハードウェアの構成とその機能について、図２を参照して説明する。図２に示されるように、本実施の形態１にかかる勤怠状況管理システム１は、システムコンピュータ６を中心として構成されており、このシステムコンピュータ６が勤務時間取得機能、勤務時間編集機能、勤務時間計算機能、マスタ編集機能、データ出力機能、給与額計算機能、前給送信機能、前給受信機能、前給実績取込機能といった様々な機能を備えている。これらの機能によって得られたデータは、システムコンピュータ６の記憶装置６Ａに記憶され、必要に応じて取り出される。
【００９２】
一方、カメラ機能付き携帯電話機５においては、二次元コード（ＱＲコード）読込機能５Ａ、操作・入力機能５Ｂ、送信機能５Ｃが使用されて、社員２の携帯している二次元コード付きＩＤカード（社員カード）３の二次元コード（ＱＲコード）が二次元コード読込機能５Ａによって読み込まれ、社員２が操作・入力機能５Ｂを用いて「出勤」、「退勤」、「外出」、「戻り」等のステータス情報を入力し、社員２が送信機能５Ｃを用いて携帯電話回線及び公衆回線９を介してシステムコンピュータ６に送信する。
【００９３】
システムコンピュータ６は携帯電話機５から送信されてきたデータを通信機能によって受信して、時計機能によって受信年月日・受信時刻とともに勤務時間取得機能を用いて勤務時間を取得して記憶装置６Ａに記憶する。そして、１日に１回、各社員２について勤務時間計算機能を用いて勤務時間の計算が行われるが、ここで社員２による携帯電話機５の操作ミス、操作忘れ等によって、正しいデータが記憶装置６Ａに記憶されていない場合がある。例えば、「出勤」時刻のみが送信されていて「退勤」時刻が送信されていない場合、「出勤」が２回送信されている場合、「外出」のみが送信されていて「戻り」が送信されていない場合、等である。
【００９４】
システム管理者１６（または利用企業の管理者）は、毎日１回、手動処理用パソコン１５を用いて社員２の全員の勤務時間をシステムコンピュータ６から取得して、手動処理用パソコン１５のディスプレイに一覧表として表示させるので、このような異常な場合には直ちにシステム管理者１６（または利用企業の管理者）が知ることができ、派遣社員の場合のように職場に手書きの出勤簿が残されている場合にはそれに基づいて、または本人に確認して、勤務時間の正しい入力を行う勤務時間編集処理を実施する。これによって、社員２の全員の正確な勤務時間が、毎日記憶装置６Ａに記憶される。
【００９５】
また、前給コンピュータ８は公衆回線（インターネット）１０によってシステムコンピュータ６と接続されており、システムコンピュータ６が記憶装置６Ａから勤務時間を取得して給与額計算価機能によって計算した給与額を前給送信機能によって公衆回線１０を介して前給コンピュータ８に送信し、前給コンピュータ８からは、社員２による前給サービス利用実績を公衆回線１０を介してシステムコンピュータ２６に送信する。受信された前給サービス利用実績は、システムコンピュータ６の記憶装置６Ａに格納される。
【００９６】
次に、本実施の形態１に係る勤怠状況管理システム１の構築と利用の流れについて、図３乃至図５を参照して説明する。まず、勤怠状況管理システム１の構築の手順について、図３を参照して説明する。
【００９７】
図３に示されるように、まずシステム管理者１６が、システムコンピュータ６内の記憶装置６Ａに対してシステム定義その他のマスタ登録を行い、システムコンピュータ６内ではマスタ登録処理が実行されて、記憶装置６内にマスタ情報が登録される。続いて、この勤怠状況管理システム１を利用しようとする利用企業の管理者が、システム管理者１６に対して会社登録申請を行い、システム管理者１６は利用企業の管理者から提供された会社情報・管理者情報・社員情報に基づいて、システムコンピュータ６に対して会社登録・社員登録を行う。
【００９８】
この段階で登録される社員情報は、その時点で利用企業に所属している社員についての情報である。同時に、前給コンピュータ８に対しても、会社登録処理が行われる。一度、会社登録処理が行われた後から利用企業の社員になった者に対しては、改めて利用社員登録が行われる。ここでは、新しい社員についての社員ＩＤ・社員情報について、まず仮登録が行われ、システムコンピュータ６内では仮登録処理が実行されて、仮登録情報マスタに仮登録情報が記憶される。このように、まず仮登録を行うのは、社員登録を実行すると社員情報はもう削除することができないので、利用企業の社員になって直ぐ辞めてしまう者に対してまで正式の社員登録を行うと、ＩＤが無駄になってしまうからである。
【００９９】
そこで、利用企業の社員になって一定期間が経過した後に、システム管理者１６によって正式の社員登録が行われる。即ち、一旦仮登録情報マスタに記憶された仮登録情報を正式な社員情報として、社員情報マスタに記憶させる。このとき、同時に、前給コンピュータ８に対しても、社員登録処理が行われる。このようにして、社員情報マスタには、各利用企業の各社員の情報が、会社情報のＩＤ＋社員情報のＩＤからなる一連のコードと組み合わせて記憶される。
【０１００】
続いて、システム管理者１６によって、社員カード３の発行処理が行われる。即ち、システム管理者１６がパソコン１５を操作することによって、システムコンピュータ６に対してＱＲコード作成の指示が出され、システムコンピュータ６内においては社員情報マスタに記録された社員情報（社員ＩＤ・氏名・生年月日等）をＱＲコードに変換して、生成したＱＲコードが印刷されて社員カード３が作成され、作成された社員カード３は利用企業ごとにまとめて送付され、各利用企業において各社員２に１枚ずつ配布される。
【０１０１】
次に、勤怠入力に使用される端末としてのカメラ機能付き携帯電話機５の登録処理が行われる。即ち、後で詳細に述べるように、利用企業の各職場に設置されるカメラ機能付き携帯電話機５のそれぞれについて、システムコンピュータ６が識別できるように、利用企業の各職場において携帯電話機５の端末登録操作が実行され、システムコンピュータ６内においては端末登録処理が行われて端末情報マスタに格納される。そして、端末登録が完了した旨が各携帯電話機（端末機器）５に送信される。ここまでの処理によって、本実施の形態１に係る勤怠状況管理システム１が稼動可能になる。
【０１０２】
そこで、出勤してきた社員２が職場の出入り口近傍に設置してあるカメラ機能付き携帯電話機５を用いて、自分の社員カード３に印刷してあるＱＲコード４を読み込むことによって、ＱＲコード４にコード化されている社員２の会社（利用企業）ＩＤ及び社員ＩＤが読み取られる。そして、社員２が携帯電話機５を操作して勤怠ステータス情報として「出勤」を入力して送信することによって、システムコンピュータ６の通信機能によって受信され、システムコンピュータ６の時計機能によって出勤時間が取得されて、勤怠入力処理が実行されて勤怠情報マスタに格納される。
【０１０３】
そして、その日の勤務が終了して帰宅する際には、社員２が職場の出入り口近傍に設置してあるカメラ機能付き携帯電話機５を用いて自分の社員カード３に印刷してあるＱＲコード４を読み込み、携帯電話機５を操作して勤怠ステータス情報として「退勤」を入力して送信することによって、システムコンピュータ６の通信機能によって受信され、システムコンピュータ６の時計機能によって退勤時間が取得されて、勤怠入力処理が実行されて勤怠情報マスタに格納される。
【０１０４】
なお、出勤から退勤までの間に私用で外出する場合には、カメラ機能付き携帯電話機５を用いて自分の社員カード３に印刷してあるＱＲコード４を読み込み、携帯電話機５を操作して勤怠ステータス情報として「外出」を入力して送信し、職場に戻ってきた際にはカメラ機能付き携帯電話機５を用いて自分の社員カード３に印刷してあるＱＲコード４を読み込み、携帯電話機５を操作して勤怠ステータス情報として「戻り」を入力して送信することによって、これらの情報も全て勤怠情報マスタに格納される。
【０１０５】
そして、１日の所定時刻に勤怠編集・計算処理が行われる。前述したように、利用企業の管理者（またはシステム管理者１６）は、手動処理用パソコン１５を用いて社員２の全員の勤務時間をシステムコンピュータ６から取得して、手動処理用パソコン１５のディスプレイに一覧表として表示させるので、「出勤」のみで「退勤」が入力されていない、「出勤」が２回入力されている、といった異常な場合には直ちに利用企業の管理者（またはシステム管理者１６）が知ることができ、派遣社員の場合のように職場に手書きの出勤簿が残されている場合にはそれに基づいて、または本人に確認して、勤務時間の正しい入力を行う勤務時間編集処理を実施する。
【０１０６】
これに基づいて、システムコンピュータ６内では勤怠編集・計算処理が実行され、社員２の全員について、「出勤」の時刻から「退勤」の時刻までの時間を算出することによって、またその間に「外出」がある場合には「外出」の時刻から「戻り」の時刻までの時間を差し引くことによって、各社員２の勤務時間を計算してその計算結果を勤怠情報マスタに格納する。かかる処理が毎日繰り返されることによって、各社員２の累積勤務時間が勤怠情報マスタに格納されていく。
【０１０７】
次に、前給サービスに関する処理について、図５を参照して説明する。図５に示されるように、前給データ送信においては、毎日定時刻にシステムコンピュータ６の勤怠情報マスタから各社員２について、前日の勤務情報（勤務時間）を取得してＨＵＬＦＴ送信処理によって自動的に、またはシステム管理者１６が手動で前給コンピュータ８に前日の勤務情報を送信する。これによって、前給コンピュータ８においては、各社員２についての前日までの累積勤務時間を計算することができ、累積勤務時間に相当する給与の７０％までを前給サービスに供することができる。
【０１０８】
一方、前給データ受信においては、毎月の締日に前給コンピュータ８から各社員２についての前給サービス利用実績をＨＵＬＦＴ受信処理によって自動的に、またはシステム管理者１６が手動で受信して、システムコンピュータ６の前給実績情報マスタに格納する。これによって、各社員２について月額の給与を算出する際に、前給サービス利用実績のある者については、前給として支払った金額を差し引いて正確な給与額を算出することができる。
【０１０９】
なお、利用企業においては、いつ何時でもシステムコンピュータ６にアクセスすることによって、システムコンピュータ６の記憶装置６Ａの各マスタに格納されている各情報をデータ出力処理によってデータ出力させて参照することができる。
【０１１０】
次に、図３乃至図５に示される業務フローの中の「勤怠入力」、「勤怠編集・計算」、「前給データ送信」、「前給データ受信」の各処理についてのより詳細な内容について、図６乃至図９を参照して説明する。
【０１１１】
図６に示されるように、「勤怠入力」処理においては、まず社員２がカメラ機能付き携帯電話機５を用いて「出勤」等の勤怠ステータス情報を入力し（ステップＳ１１）、続いて社員カード３のＱＲコード４をカメラ機能付き携帯電話機５で読込み（ステップＳ１２）、携帯電話機５がＱＲコード４を解析する（ステップＳ１３）。そして、予め登録されている携帯電話機５の端末情報（職場ＩＤ）を取得して（ステップＳ１４）、ＱＲコード４を解析して得られた会社ＩＤ・社員ＩＤ・社員情報と勤怠ステータス情報及び職場ＩＤからなる送信情報を作成し（ステップＳ１５）、送信情報を携帯電話機５からシステムコンピュータ６に送信して（ステップＳ１６）、終了する。
【０１１２】
図７に示されるように、「勤怠編集・計算」処理においては、図６のステップＳ１６で送信された送信情報をシステムコンピュータ６が受信し（ステップＳ２１）、同時に時計機能から時刻を取得して（ステップＳ２２）、受信年月日・受信時刻の付された勤務情報を作成する（ステップＳ２３）。続いて、その勤務情報が有効か否か、即ち「出勤」と「退勤」が対になっているかどうかが判定されて（ステップＳ２４）、有効でない場合にはそのまま勤務情報として勤怠情報マスタに格納して（ステップＳ２７）、終了する。
【０１１３】
一方、ステップＳ２４において有効と判定された場合には、それらの「出勤」時刻と「退勤」時刻から勤務時間が計算されて（ステップＳ２５）、各社員２について定められている時間給からその日の給与額が計算され（ステップＳ２６）、計算された給与額を勤怠情報マスタに格納して（ステップＳ２７）、終了する。
【０１１４】
図８に示されるように、「前給データ送信」処理においては、毎日（実際は銀行営業日である平日のみ）一定時刻に、勤怠情報マスタから前日の勤務情報（銀行休業日の翌日においては最先の銀行営業日までの全ての勤務情報）を取得し（ステップＳ３１）、送信情報を作成して（ステップＳ３２）、ＨＵＬＦＴ送信処理によって自動的に、またはシステム管理者１６が手動で前給コンピュータ８に送信する（ステップＳ３３）。
【０１１５】
また、図９に示されるように、「前給データ受信」処理においては、毎月の締日に前給コンピュータ８から各社員２についての前給サービス利用実績情報をＨＵＬＦＴ受信処理によって自動的に、またはシステム管理者１６が手動で受信して（ステップＳ４１）、前給サービス利用実績情報の解析を行い（ステップＳ４２）、その解析結果をシステムコンピュータ６の前給実績情報マスタに格納する（ステップＳ４３）。
【０１１６】
次に、勤怠状況管理システム１の具体的な準備操作について、図１０及び図１１を参照して説明する。まず、図１０（ａ）に示されるように、各職場（店舗）のカメラ機能付き携帯電話機５が勤怠状況管理以外の用途に使われることのないように、ダイヤル通話の使用禁止設定を行い、図１０（ｂ）に示されるように、各職場の出入口近傍にカメラ機能付き携帯電話機５をチェーン１４で固定して設置する。次に、図１０（ｃ）に示されるシステム管理者のパソコン１５に、携帯電話機５から空メールを送信するか、電話やＦＡＸでメールアドレスをシステム管理者のオペレータ１６に教える等することによって、携帯電話機５のメールアドレスを入力する。
【０１１７】
そして、図１０（ｄ）に示されるように、システム管理者のオペレータ１６が、各携帯電話機５のメールアドレスをパソコン１５からシステムコンピュータ６に送信することによって、システムコンピュータ６に登録する。次に、図１０（ｅ）に示されるように、各携帯電話機５に対して端末登録メールを送信する。図１１（ａ）に示されるように、携帯電話機５に端末登録メールが着信して端末登録メールを開くと、携帯電話機５の画面５ａには、図１１（ｂ）に示されるように、端末（携帯電話機５）登録を行うためにアクセスすべきＵＲＬが表示されている。
【０１１８】
そこで、このＵＲＬにアクセスして、図１１（ｃ），（ｄ）に示されるように、端末（携帯電話機５）登録を実行する。これによって、各携帯電話機５の会社情報・店舗（職場）情報が各携帯電話機５のメールアドレスとともにシステムコンピュータ６の記憶装置６Ａに記憶される。
【０１１９】
次に、勤怠状況管理システム１の具体的な使用方法について、図１２及び図１３を参照して説明する。まず、図１２（ａ）に示されるように各職場（店舗）の出入口に設置されているカメラ機能付き携帯電話機５を、図１２（ｂ）に示されるように出勤してきた社員２が手に取って、図１２（ｃ）に示されるように社員２の社員カード３に印刷されているＱＲコード（登録商標）４を、図１２（ｄ），（ｅ）に示されるようにカメラ機能付き携帯電話機５で（ＱＲコード読取りモードにして）撮影する。
【０１２０】
これによって、図１２（ｆ）のカメラ機能付き携帯電話機５の画面５ａに示されるように、社員２の社員カード３のＱＲコード４にコード化されているＩＤデータが読み取られる。このＩＤデータには、会社名・店舗名・個人名・生年月日等のデータが含まれている。次に、図１２（ｇ）に示されるように、システムコンピュータ６のメールアドレスにアクセスして、携帯電話機５とシステムコンピュータ６を接続状態にする。すると、図１３（ａ）に示されるように、携帯電話機５の画面５ａに登録画面が表示される。
【０１２１】
そこで、図１３（ａ）に示されるプルダウンメニュー５ｂから、図１３（ｂ），（ｃ）に示されるように「出勤」を選択して、携帯電話機５の決定ボタンを押すと、社員２のＩＤデータとともにステータス情報としての「出勤」が、携帯電話回線９を介してシステムコンピュータ６に送信されて記憶装置６Ａに記憶される。そして、図１３（ｄ）に示されるように、携帯電話機５の画面５ａに登録完了画面が表示される。記憶装置６Ａに記憶された内容は、システム管理者のオペレータ１６がパソコン１５からシステムコンピュータ６にアクセスすることによって、いつでもパソコン１５のディスプレイ画面１５ａに表示させることができる。
【０１２２】
このようにして、本実施の形態１に係る勤怠状況管理システム１においては、各社員２が二次元コードとしてのＱＲコード４が印刷された社員カード３を携帯し、かつ職場の出入口に小型の二次元コード撮影送信手段としてのカメラ機能付き携帯電話機５を設置するだけで、仕事についての個人ごとの時間情報を省スペース・低コストで把握し、かつ個人ごとに評価して、前給サービスという特典を付与することができる。
【０１２３】
本実施の形態１に係る勤怠状況管理システム１においては、複数の会社（利用企業）の勤怠状況管理を行っているため、システムコンピュータ６としても大容量かつ高速処理ができることが必要であり、システムコンピュータ６として専用のサーバを使用しているが、勤怠状況管理を行う対象となる社員数が比較的少数の場合には、システムコンピュータ６としてパソコンを用いることも可能である。
【０１２４】
また、本実施の形態１に係る勤怠状況管理システム１においては、特典として前給（給与の前払い）サービスを付与する場合について説明したが、特典としてはこれに限られるものではなく、他のサービスを付与しても良いし、複数の特典を付与できるようにしても良い。
【０１２５】
実施の形態２
次に、本発明の実施の形態２にかかる学習状況管理システム及び学習状況管理方法について、図１４乃至図１８を参照して説明する。
【０１２６】
図１４は本発明の実施の形態２にかかる学習状況管理システム及び学習状況管理方法の概略を示す模式図である。図１５は本発明の実施の形態２にかかる学習状況管理システムの全体構成を示すブロック図である。図１６は本発明の実施の形態２にかかる学習状況管理方法の流れを示すフロー図の前半部分を示す図である。図１７は本発明の実施の形態２にかかる学習状況管理方法の流れを示すフロー図の中間部分を示す図である。図１８は本発明の実施の形態２にかかる学習状況管理方法の流れを示すフロー図の後半部分を示す図である。
【０１２７】
図１４に示されるように、本実施の形態２にかかる学習状況管理システム２１は、各受講者２２に１人当たり１枚ずつ配布される受講者カード２３と、各受講者２２が学習を行う学習室に各一台ずつ設置される二次元コード撮影送信手段としてのカメラ機能付き携帯電話機２５（以下、単に「携帯電話機２５」ともいう。）と、カメラ機能付き携帯電話機２５から送信されるデータを受信して学習情報管理等の処理を行うシステムコンピュータ２６と、特典算出手段と特典付与手段を有する特典管理コンピュータ２８を中心として構成されている。
【０１２８】
ここで、受講者２２を受け入れるスクール２７としては、具体的には学習塾、予備校、英会話スクール、茶道教室、華道教室、フランス刺繍教室、等が考えられる。学習する内容や学習の方法はこれらの各スクールによって異なるが、これらの各スクールで学習する人を、ここでは一様に「受講者」と呼ぶものとする。
【０１２９】
また、本実施の形態２においては、受講料割引コンピュータ２８は各受講者２２が受講料の振込みを行う銀行口座が存在する銀行のコンピュータであり、図１４に示されるように、システムコンピュータ２６と受講料割引サービスについてのデータのやり取りをすることによって、受講料割引サービスについてのデータを共有している。
【０１３０】
受講者カード２３には、各受講者２２の識別データがコード化された二次元コードとしてのＱＲコード２４が印刷されており、このＱＲコード２４をカメラ機能付き携帯電話機２５で撮影することによって、ＱＲコード２４にコード化された受講者２２の識別データが読み取られ、この識別データと「入室」、「退室」、「外出」、「戻り」等のステータス情報とが、携帯電話機２５によってシステムコンピュータ２６に送信される。これらの学習データがシステムコンピュータ２６内の学習データメモリ（記憶装置）に記憶され、１日に１回ずつ受講者２２ごとに学習時間が計算され、記憶される。
【０１３１】
この処理を毎日続けることによって、各受講者２２の学習時間が累積されて行き、累積学習時間が予め定められた標準学習時間に対して所定の割合を超えた場合には、特典として受講料割引コンピュータ２８を利用して、次月の受講料の割引サービスを受けることができる。この受講料割引サービスは、次月の受講料の２０％を限度として、各受講者２２が受講料の割引を受けることができるものである。
【０１３２】
また、各受講者２２を受け入れるスクール２７のコンピュータからは、後述するように受講者カード２３を作成する際に受講者情報がシステムコンピュータ２６に送信され、更にスクール２７のコンピュータからシステムコンピュータ２６にアクセスすることによって、各受講者２２の学習状況に関する種々のデータを取得することができる。
【０１３３】
次に、本実施の形態２にかかる学習状況管理システム２１のハードウェアの構成とその機能について、図１５を参照して説明する。図１５に示されるように、本実施の形態２にかかる学習状況管理システム２１は、システムコンピュータ２６を中心として構成されており、このシステムコンピュータ２６が学習時間取得機能、学習時間編集機能、学習時間計算機能、マスタ編集機能、データ出力機能、学習時間計算機能、学習状況評価機能、割引送信機能、割引受信機能、割引実績取込機能といった様々な機能を備えている。これらの機能によって得られたデータは、システムコンピュータ２６の記憶装置２６Ａに記憶され、必要に応じて取り出される。
【０１３４】
一方、カメラ機能付き携帯電話機２５においては、二次元コード（ＱＲコード）読込機能２５Ａ、操作・入力機能２５Ｂ、送信機能２５Ｃが使用されて、受講者２２の携帯している二次元コード付きＩＤカード（社員カード）２３の二次元コード（ＱＲコード）が二次元コード読込機能２５Ａによって読み込まれ、受講者２２が操作・入力機能２５Ｂを用いて「入室」、「退室」、「外出」、「戻り」等のステータス情報を入力し、受講者２２が送信機能２５Ｃを用いて携帯電話回線及び公衆回線９を介してシステムコンピュータ２６に送信する。
【０１３５】
システムコンピュータ２６は携帯電話機２５から送信されてきたデータを通信機能によって受信して、時計機能によって受信年月日・受信時刻とともに学習時間取得機能を用いて学習時間を取得して記憶装置２６Ａに記憶する。そして、１日に１回、各受講者２２について学習時間計算機能を用いて学習時間の計算が行われるが、ここで受講者２２による携帯電話機２５の操作ミス、操作忘れ等によって、正しいデータが記憶装置２６Ａに記憶されていない場合がある。例えば、「入室」時刻のみが送信されていて「退室」時刻が送信されていない場合、「入室」が２回送信されている場合、「外出」のみが送信されていて「戻り」が送信されていない場合、等である。
【０１３６】
システム管理者３６（または利用企業の管理者）は、毎日１回、手動処理用パソコン３５を用いて受講者２２の全員の学習時間をシステムコンピュータ２６から取得して、手動処理用パソコン３５のディスプレイに一覧表として表示させるので、このような異常な場合には直ちにシステム管理者３６（または利用企業の管理者）が知ることができ、本人に確認する等して、学習時間の正しい入力を行う学習時間編集処理を実施する。これによって、受講者２２の全員の正確な学習時間が、毎日記憶装置２６Ａに記憶される。
【０１３７】
また、受講料割引コンピュータ２８は公衆回線（インターネット）１０によってシステムコンピュータ２６と接続されており、システムコンピュータ２６が記憶装置２６Ａから学習時間を取得して学習状況評価機能によって評価した学習状況評価結果を割引送信機能によって公衆回線１０を介して受講料割引コンピュータ２８に送信し、受講料割引コンピュータ２８からは、受講者２２による割引サービス利用実績を公衆回線１０を介してシステムコンピュータ２６に送信する。受信された割引サービス利用実績は、システムコンピュータ２６の記憶装置２６Ａに格納される。
【０１３８】
次に、本実施の形態２に係る勤怠状況管理システム２１の構築と利用の流れについて、図１６乃至図１８を参照して説明する。まず、勤怠状況管理システム２１の構築の手順について、図１６及び図１７を参照して説明する。
【０１３９】
図１６に示されるように、まずシステム管理者３６が、システムコンピュータ２６内の記憶装置２６Ａに対してシステム定義その他のマスタ登録を行い、システムコンピュータ２６内ではマスタ登録処理が実行されて、記憶装置２６内にマスタ情報が登録される。続いて、この学習状況管理システム２１を利用しようとするスクール２７の管理者が、システム管理者３６に対してスクール登録申請を行い、システム管理者３６はスクールの管理者から提供されたスクール情報・管理者情報・受講者情報に基づいて、システムコンピュータ２６に対してスクール登録・受講者登録を行う。
【０１４０】
この段階で登録される受講者情報は、その時点でスクール２７に所属している受講者についての情報である。同時に、受講料割引コンピュータ２８に対しても、スクール登録処理が行われる。一度、スクール登録処理が行われた後からスクール２７の受講者になった者に対しては、改めて受講者登録が行われる。ここでは、新しい受講者についての受講者ＩＤ・受講者情報について、まず仮登録が行われ、システムコンピュータ２６内では仮登録処理が実行されて、仮登録情報マスタに仮登録情報が記憶される。このように、まず仮登録を行うのは、受講者登録を実行すると受講者情報はもう削除することができないので、スクール２７に入って直ぐ辞めてしまう者に対してまで正式の受講者登録を行うと、ＩＤが無駄になってしまうからである。
【０１４１】
そこで、スクール２７の受講者になって一定期間が経過した後に、システム管理者３６によって正式の受講者登録が行われる。即ち、一旦仮登録情報マスタに記憶された仮登録情報を正式な受講者情報として、受講者情報マスタに記憶させる。このとき、同時に、受講料割引コンピュータ２８に対しても、受講者登録処理が行われる。このようにして、受講者情報マスタには、各スクール２７の各受講者２２の情報が、スクール情報のＩＤ＋受講者情報のＩＤからなる一連のコードと組み合わせて記憶される。
【０１４２】
続いて、システム管理者３６によって、受講者カード２３の発行処理が行われる。即ち、システム管理者３６がパソコン３５を操作することによって、システムコンピュータ２６に対してＱＲコード作成の指示が出され、システムコンピュータ２６内においては受講者情報マスタに記録された受講者情報（受講者ＩＤ・氏名・生年月日等）をＱＲコードに変換して、生成したＱＲコードが印刷されて受講者カード２３が作成され、作成された受講者カード２３はスクール２７ごとにまとめて送付され、各スクール２７において各受講者２２に１枚ずつ配布される。
【０１４３】
次に、学習時間入力に使用される端末としてのカメラ機能付き携帯電話機２５の登録処理が行われる。即ち、スクール２７の各学習室に設置されるカメラ機能付き携帯電話機２５のそれぞれについて、システムコンピュータ２６が識別できるように、スクール２７の各学習室において携帯電話機２５の端末登録操作が実行され、システムコンピュータ２６内においては端末登録処理が行われて端末情報マスタに格納される。そして、端末登録が完了した旨が各携帯電話機（端末機器）２５に送信される。ここまでの処理によって、本実施の形態２に係る学習状況管理システム２１が稼動可能になる。
【０１４４】
そこで、学習しにきた受講者２２が学習室の出入り口近傍に設置してあるカメラ機能付き携帯電話機２５を用いて、自分の受講者カード２３に印刷してあるＱＲコード２４を読み込むことによって、ＱＲコード２４にコード化されている受講者２２のスクールＩＤ及び受講者ＩＤが読み取られる。そして、受講者２２が携帯電話機２５を操作して勤怠ステータス情報として「入室」を入力して送信することによって、システムコンピュータ２６の通信機能によって受信され、システムコンピュータ２６の時計機能によって入室時間が取得されて、学習時間入力処理が実行されて学習時間情報マスタに格納される。
【０１４５】
そして、その日の学習が終了して帰宅する際には、受講者２２が学習室の出入り口近傍に設置してあるカメラ機能付き携帯電話機２５を用いて自分の受講者カード２３に印刷してあるＱＲコード２４を読み込み、携帯電話機２５を操作してステータス情報として「退室」を入力して送信することによって、システムコンピュータ２６の通信機能によって受信され、システムコンピュータ２６の時計機能によって退室時間が取得されて、学習時間入力処理が実行されて学習時間情報マスタに格納される。
【０１４６】
なお、入室から退室までの間に私用で外出する場合には、カメラ機能付き携帯電話機２５を用いて自分の受講者カード２３に印刷してあるＱＲコード２４を読み込み、携帯電話機２５を操作してステータス情報として「外出」を入力して送信し、学習室に戻ってきた際にはカメラ機能付き携帯電話機２５を用いて自分の受講者カード２３に印刷してあるＱＲコード２４を読み込み、携帯電話機２５を操作してステータス情報として「戻り」を入力して送信することによって、これらの情報も全て学習時間情報マスタに格納される。
【０１４７】
そして、１日の所定時刻に学習時間編集・計算処理が行われる。前述したように、スクール２７の管理者（またはシステム管理者３６）は、手動処理用パソコン３５を用いて受講者２２の全員の学習時間をシステムコンピュータ２６から取得して、手動処理用パソコン３５のディスプレイに一覧表として表示させるので、「入室」のみで「退室」が入力されていない、「入室」が２回入力されている、といった異常な場合には直ちにスクール２７の管理者（またはシステム管理者３６）が知ることができ、本人に確認する等して、学習時間の正しい入力を行う学習時間編集処理を実施する。
【０１４８】
これに基づいて、システムコンピュータ２６内では学習時間編集・計算処理が実行され、受講者２２の全員について、「入室」の時刻から「退室」の時刻までの時間を算出することによって、またその間に「外出」がある場合には「外出」の時刻から「戻り」の時刻までの時間を差し引くことによって、各受講者２２の学習時間を計算してその計算結果を学習時間情報マスタに格納する。かかる処理が毎日繰り返されることによって、各受講者２２の累積学習時間が学習時間情報マスタに格納されていく。
【０１４９】
次に、受講料割引サービスに関する処理について、図１８を参照して説明する。図１８に示されるように、割引データ送信においては、毎日定時刻にシステムコンピュータ２６の学習時間情報マスタから各受講者２２について、前日の学習時間を取得してＨＵＬＦＴ送信処理によって自動的に、またはシステム管理者３６が手動で受講料割引コンピュータ２８に前日の学習時間情報を送信する。
【０１５０】
これによって、受講料割引コンピュータ２８においては、各受講者２２についての前日までの累積学習時間を計算することができ、システムコンピュータ２６の学習状況評価機能によって累積学習時間が評価され、この累積学習時間が予め定められた標準学習時間の９０％以上である場合には、その受講者２２は受講料割引サービスを受けることができる。
【０１５１】
一方、割引データ受信においては、毎月の締日に受講料割引コンピュータ２８から各受講者２２についての割引サービス利用実績をＨＵＬＦＴ受信処理によって自動的に、またはシステム管理者３６が手動で受信して、システムコンピュータ２６の割引実績情報マスタに格納する。
【０１５２】
なお、スクール２７においては、いつ何時でもシステムコンピュータ２６にアクセスすることによって、システムコンピュータ２６の記憶装置２６Ａの各マスタに格納されている各情報をデータ出力処理によってデータ出力させて参照することができる。
【０１５３】
このようにして、本実施の形態２に係る学習状況管理システム２１においては、各受講者２２が二次元コードとしてのＱＲコード２４が印刷された受講者カード２３を携帯し、かつ学習室の出入口に小型の二次元コード撮影送信手段としてのカメラ機能付き携帯電話機２５を設置するだけで、学習についての個人ごとの時間情報を省スペース・低コストで把握し、かつ個人ごとに評価して、受講料割引サービスという特典を付与することができる。
【０１５４】
本実施の形態２に係る学習状況管理システム２１においては、複数のスクールの学習状況管理を行っているため、システムコンピュータ２６としても大容量かつ高速処理ができることが必要であり、システムコンピュータ２６として専用のサーバを使用しているが、学習状況管理を行う対象となる受講者数が比較的少数の場合には、システムコンピュータ２６としてパソコンを用いることも可能である。
【０１５５】
また、本実施の形態２に係る学習状況管理システム２１においては、特典として受講料割引サービスを付与する場合について説明したが、特典としてはこれに限られるものではなく、他のサービスを付与しても良いし、複数の特典を付与できるようにしても良い。
【０１５６】
実施の形態３
次に、本発明の実施の形態３に係る学習状況管理システム及び学習状況管理方法について、図１９を参照して説明する。図１９は本発明の実施の形態３に係る学習状況管理システム及び学習状況管理方法の概略を示す模式図である。なお、本実施の形態３に係る学習状況管理システム及び学習状況管理方法は、一部を除いて上記実施の形態２に係る学習状況管理システム及び学習状況管理方法と同様であるため、同一の部分には同一の符号を付して説明を省略する。
【０１５７】
図１９に示されるように、本実施の形態３に係る学習状況管理システム３１が上記実施の形態２に係る学習状況管理システム２１と異なるのは、本実施の形態３の学習状況管理システム３１は担当教師としての家庭教師３２を派遣する場合の受講者（生徒）２２の学習状況を管理するためのシステムであるということである。
【０１５８】
即ち、家庭教師３２が授業を行うために生徒２２の自宅を訪問した際に、家庭教師３２が携帯しているカメラ機能付き携帯電話機２５で、生徒２２の所持している受講者カード２３のＱＲコード２４を撮影することによって、ＱＲコード２４にコード化された受講者２２の識別データが読み取られ、この識別データと「授業開始」、「授業終了」、「休憩」、「再開」等のステータス情報とが、携帯電話機２５によってシステムコンピュータ２６に送信される。これらの学習データがシステムコンピュータ２６内の学習データメモリ（記憶装置）に記憶され、１日に１回ずつ受講者２２ごとに学習時間が計算され、記憶される。
【０１５９】
この処理を毎日続けることによって、各受講者２２の学習時間が累積されて行き、累積学習時間が予め定められた標準学習時間に対して所定の割合を超えた場合には、特典として受講料割引コンピュータ２８を利用して、次月の受講料の割引サービスを受けることができる。この受講料割引サービスは、次月の受講料の２０％を限度として、各受講者２２が受講料の割引を受けることができるものである。
【０１６０】
また、各受講者２２を受け入れるスクール２７のコンピュータからは、受講者カード２３を作成する際に受講者情報がシステムコンピュータ２６に送信され、更にスクール２７のコンピュータからシステムコンピュータ２６にアクセスすることによって、各受講者２２の学習状況に関する種々のデータを取得することができる。その他の部分については、上記実施の形態２と同様である。
【０１６１】
このようにして、本実施の形態３に係る学習状況管理システム３１においては、各受講者２２が二次元コードとしてのＱＲコード２４が印刷された受講者カード２３を携帯し、かつ家庭教師３２が二次元コード撮影送信手段としてのカメラ機能付き携帯電話機２５を所持するだけで、学習についての個人ごとの時間情報を省スペース・低コストで把握し、かつ個人ごとに評価して、受講料割引サービスという特典を付与することができる。
【０１６２】
本実施の形態３に係る学習状況管理システム３１においては、複数のスクール（家庭教師派遣業者）の学習状況管理を行っているため、システムコンピュータ２６としても大容量かつ高速処理ができることが必要であり、システムコンピュータ２６として専用のサーバを使用しているが、学習状況管理を行う対象となる受講者（生徒）数が比較的少数の場合には、システムコンピュータ２６としてパソコンを用いることも可能である。
【０１６３】
また、本実施の形態３に係る学習状況管理システム３１においては、特典として受講料割引サービスを付与する場合について説明したが、特典としてはこれに限られるものではなく、他のサービスを付与しても良いし、複数の特典を付与できるようにしても良い。
【０１６４】
本発明を実施するに際しては、勤務状況管理システム及び学習状況管理システムのその他の部分の構成、装置、数量、大きさ、配置、接続関係等についても、また勤務状況管理方法及び学習状況管理方法のその他の工程についても、上記各実施の形態に限定されるものではない。
【図面の簡単な説明】
【０１６５】
【図１】図１は本発明の実施の形態１にかかる勤怠状況管理システム及び勤怠状況管理方法の概略を示す模式図である。
【図２】図２は本発明の実施の形態１にかかる勤怠状況管理システムの全体構成を示すブロック図である。
【図３】図３は本発明の実施の形態１にかかる勤怠状況管理方法の流れを示すフロー図の前半部分を示す図である。
【図４】図４は本発明の実施の形態１にかかる勤怠状況管理方法の流れを示すフロー図の中間部分を示す図である。
【図５】図５は本発明の実施の形態１にかかる勤怠状況管理方法の流れを示すフロー図の後半部分を示す図である。
【図６】図６は本発明の実施の形態１にかかる勤怠状況管理方法の流れを示すフロー図の中の「勤怠入力」の処理内容を示すフローチャートである。
【図７】図７は本発明の実施の形態１にかかる勤怠状況管理方法の流れを示すフロー図の中の「勤怠編集・計算」の処理内容を示すフローチャートである。
【図８】図８は本発明の実施の形態１にかかる勤怠状況管理方法の流れを示すフロー図の中の「前給データ送信処理」の処理内容を示すフローチャートである。
【図９】図９は本発明の実施の形態１にかかる勤怠状況管理方法の流れを示すフロー図の中の「前給データ受信処理」の処理内容を示すフローチャートである。
【図１０】図１０は本発明の実施の形態１にかかる勤怠状況管理システムの具体的な準備段階の前半の流れを示す説明図である。
【図１１】図１１は本発明の実施の形態１にかかる勤怠状況管理システムの具体的な準備段階の後半の流れを示す説明図である。
【図１２】図１２は本発明の実施の形態１にかかる勤怠状況管理システムの具体的な使用方法の前半の流れを示す説明図である。
【図１３】図１３は本発明の実施の形態１にかかる勤怠状況管理システムの具体的な使用方法の後半の流れを示す説明図である。
【図１４】図１４は本発明の実施の形態２にかかる学習状況管理システム及び学習状況管理方法の概略を示す模式図である。
【図１５】図１５は本発明の実施の形態２にかかる学習状況管理システムの全体構成を示すブロック図である。
【図１６】図１６は本発明の実施の形態２にかかる学習状況管理方法の流れを示すフロー図の前半部分を示す図である。
【図１７】図１７は本発明の実施の形態２にかかる学習状況管理方法の流れを示すフロー図の中間部分を示す図である。
【図１８】図１８は本発明の実施の形態２にかかる学習状況管理方法の流れを示すフロー図の後半部分を示す図である。
【図１９】図１９は本発明の実施の形態３に係る学習状況管理システム及び学習状況管理方法の概略を示す模式図である。
【符号の説明】
【０１６６】
１  勤怠状況管理システム
２  勤務者（社員）
３  勤務者カード（社員カード）
４，２４  二次元コード（ＱＲコード）
５，２５  二次元コード撮影送信手段（カメラ付き携帯電話機）
６，２６  システムコンピュータ
７  企業
８，２８  特典管理コンピュータ
１５，３５  手動処理用パソコン
１５ａ  ディスプレイ画面
１６，３６  システム管理者（オペレータ）
２１，３１  学習状況管理システム
２２  受講者
２３  受講者カード
２７  スクール
３２  担当教師
【図１】
2008046745.tif 000003
【図２】
2008046745.tif 000004
【図３】
2008046745.tif 000005
【図４】
2008046745.tif 000006
【図５】
2008046745.tif 000007
【図６】
2008046745.tif 000008
【図７】
2008046745.tif 000009
【図８】
2008046745.tif 000010
【図９】
2008046745.tif 000011
【図１０】
2008046745.tif 000012
【図１１】
2008046745.tif 000013
【図１２】
2008046745.tif 000014
【図１３】
2008046745.tif 000015
【図１４】
2008046745.tif 000016
【図１５】
2008046745.tif 000017
【図１６】
2008046745.tif 000018
【図１７】
2008046745.tif 000019
【図１８】
2008046745.tif 000020
【図１９】
2008046745.tif 000021